(57)【要約】【課題】歯科用治療椅子の基台をカバーするカバー板部材をフットコントローラとする歯科用治療椅子において、前記カバー板部材を押下するストロークを長くすることによって、インスツルメントへ供給する駆動パワーの調節を容易にする。【解決手段】歯科用治療椅子１の基台１０上に配設され、足操作によって押下されるカバー板部材１１を有し、カバー板部材１１を足操作によって押下することによって、歯科治療インスツルメント７を駆動し、カバー板部材１１の押下量に応じてインスツルメント７に供給する駆動パワーを制御する。カバー板部材１１の上部にカバー板部材１１から前方に延長し、カバー板部材１１上で軸１３を中心に回転可能な足操作板１２を設け、足操作板１２を押下することによって、インスツルメント７の回転数等を制御する。足操作板１２の押下ストロークは、カバー板部材１１の押下ストロークより大きいので、駆動パワーの制御が容易となる。【選択図】図１
2011156257.tif 000002
【特許請求の範囲】
【請求項１】
歯科用治療椅子の基台上に配設され、足操作によって押下されるカバー板部材を有し、該カバー板部材を押下することによって歯科治療用インスツルメントを駆動し、かつ、押下量に応じて前記歯科治療インスツルメントに供給する駆動パワーを制御するようにした歯科用治療椅子において、前記カバー板部材の上部に該カバー板部材から前方に延長し、かつ、該カバー板部材上で回転可能に該カバー板部材上に取り付けられた足操作板を有することを特徴とする歯科用治療椅子。
【請求項２】
前記足操作板は、前記カバー板部材から前方に延長する長さを調整可能であることを特徴とする請求項１に記載の歯科用治療椅子。
【発明の詳細な説明】
【技術分野】
【０００１】
本発明は、歯科用治療椅子の基台上に配設され、足操作によって押下されるカバー板部材を有し、該カバー板部材を押下することによって歯科治療インスツルメントを駆動し、かつ、押下量に応じて該歯科治療インスツルメントに供給する駆動パワーを制御するようにした歯科用治療椅子において、前記カバー板部材の上部に、該カバー板部材から前方に延長する足操作板を回動可能に設け、該足操作板の先端部を押下することによって前記カバー板部材を押下するようにし、もって、前記カバー板部材を押下する時の足操作による押下ストロークを長くし、単位押下量当りのインスツルメントに供給する駆動パワーの変化量を小さくし、足操作による調整（制御）を容易にしたものである。
【背景技術】
【０００２】
図３は、本発明が適用される歯科用治療椅子を有する歯科治療ユニットの一例（特許文献１）を説明するための概略構成図で、該歯科治療ユニットは、歯科治療椅子１，ワークテーブル２，うがい装置３，給排水ボックス４，インスツルメントホルダ５，アシスタントインスツルメントホルダ６等から成り、インスツルメントホルダ５には、歯科治療において使用する種々のインスツルメント７が収納されており、周知のように、歯科治療に当り、患者は治療椅子１に座り、頭を安頭台８に固定して治療を受ける。治療中、術者は治療椅子１を上下動，倒起動，傾斜動等させて、患者を治療しやすい姿勢にし、インスツルメントホルダ５より歯科治療に必要なインスツルメント７を取り出し、歯科用治療椅子１の基台１０に設けられた、フット（足操作）コントローラとして機能するカバー板部材１１を押下して、取り出したインスツルメントの駆動（例えば、オン・オフ及び回転数等）を制御しながら歯科治療を行う。
【０００３】
歯科治療は、普通、図４に示すように、治療椅子１を倒（寝）状態にし、術者Ｄは、患者Ｐの背面側に座って行う。そのため、従来、治療椅子１の基台１０をカバーし、かつ、足操作によって押下可能なカバー板部材１１を設け、該カバー板部材１１を押下することによって、使用中のインスツルメントの駆動・停止及び該インスツルメントの回転数等を制御するようにし、歯科治療をより効果的に行うことができるようにしている。
【０００４】
図５は、上記カバー板部材１１の動作を説明するための要部構成図で、図示のように、カバー板部材１１の下部には気体が密封された可撓性の気密容器２１が配設されており、この気密容器２１をカバー板部材１１によって押下することによって、該気密容器２１内の圧力を変化させ、その圧力変化を感圧センサ２２にて検知し、その検知電気信号をリード線２３を通して、例えば、ワークテーブル２，インスツルメントホルダ５等に設けられている制御部に伝達し、該制御部により、使用中のインスツルメントに対する制御を行う。換言すれば、カバー板部材１１を押下することにより気密容器２１内の気体圧を変化させ、その気体圧に応じて、当該使用中のインスツルメントに対するオン・オフ制御及び駆動パワー（回転数）の制御を行う。
【先行技術文献】
【特許文献】
【０００５】
【特許文献１】特開２００８−１４２４４４号公報
【発明の概要】
【発明が解決しようとする課題】
【０００６】
しかし、上述のごとき歯科用治療椅子においては、カバー板部材を押下する時の押下量が小さく、この小さな押下量の範囲内でインスツルメントに供給する駆動パワーを調整しなければならず、例えば、押下量に応じてマイクロエンジンやエアータービンの回転数を制御する際、微小な押下でも回転数が大幅に変化してしまい、回転数を微小制御（調整）することが困難であり、また、その調整値（押下位置）に安定して維持するのも困難であった。
【０００７】
本発明は、上述のごとき歯科用治療椅子基台のカバー板部材をフットコントローラとする歯科用治療椅子において、前記カバー板部材の押下ストロークを長くすることによって、インスツルメントへ供給するパワー（例えば、マイクロエンジンに供給する電圧、エアータービンに供給するエアー）の調節（制御）を容易にすることを目的としてなれたものである。
【課題を解決するための手段】
【０００８】
本発明は、上記目的を達成するために、請求項１の発明は、歯科用治療椅子の基台上に配設され、足操作によって押下されるカバー板部材を有し、該カバー板部材を押下することによって歯科治療インスツルメントを駆動し、かつ、押下量に応じて該歯科治療インスツルメントに供給する駆動パワーを制御するようにした歯科用治療椅子において、前記カバー板部材の上部に該カバー板部材から前方に延長し、かつ、該カバー板部材上で回転可能な足操作板を有することを特徴としたものである。
【０００９】
請求項２の発明は、請求項１の発明に記載の歯科用治療椅子において、前記足操作板は、前記カバー板部材から前方に延長する長さを調整可能であることを特徴としたものである。
【発明の効果】
【００１０】
本発明によると、歯科用治療椅子の基台に設けられたカバー板部材を押下して、治療に使用するインスツルメントを駆動しかつ該使用インスツルメントへ供給する駆動パワーを調整（制御）するようにした歯科用治療椅子において、該カバー板部材に該カバー板部材から延長する足操作板を設けたので、前記基台カバーを押下するストロークが長くなり（単位押下量当りの駆動パワー変化が小さくなり）、前記使用インスツルメントへ供給するパワーの調整（制御）が容易になる。
【図面の簡単な説明】
【００１１】
【図１】本発明による足操作板を適用した歯科用治療椅子を用いた歯科治療ユニットの一例を示す全体図である。
【図２】本発明による足操作板の他の例を説明するための図である。
【図３】本発明が適用される歯科用治療椅子を用いた従来の歯科治療ユニットの一例を説明するための全体構成図である。
【図４】図３に示した歯科用治療椅子の診療時における一使用例を説明するための図である。
【図５】図３及び図４に示した歯科用治療椅子におけるインスツルメント制御機構の一例を説明するための図である。
【発明を実施するための形態】
【００１２】
図１は、本発明による歯科用治療椅子の一実施例を説明するための全体構成図で、図３に示した歯科用治療椅子と同様の作用する部分には同一の参照番号が付してある。而して、本発明においては、図示のように、カバー板部材１１の上部に、該カバー板部材１１から前方に延長する足操作板１２が軸１３を中心に回動可能に設けられている。従って、この足操作板１２を押下することによって、カバー板部材１１も押下され、前述のようにして、治療に使用しようとして取り出したインスツルメントが駆動され、該足操作板１２の押下量に応じて、該取り出したインスツルメントメントに供給される駆動パワーが制御され、例えば、該インスツルメントの回転数が制御されるが、本発明によると、カバー板部材１１を直接押下する従来技術にして、押下ストロークの大きい足操作板１２を押下（Ｆ）するようにしたので、単位押下量当りのインスツルメントに供給される駆動パワーの変化量が小さく、インスツルメントへのパワー制御が楽になる。
【００１３】
前記足操作板１２は、カバー板部材１１上に軸１３を中心に回転可能に取り付けられているので（矢印Ａ）、術者は、該足操作板１２の先端部１２ａを本人の操作しやすい位置に回転移動させて使用することができる。
【００１４】
更には、図２（Ａ）に拡大して示すように、前記足操作板１２を前後方向（矢印Ｂ）に移動可能とすることにより、該足操作板１２の先端部１２ａを術者のより操作しやすい位置にして、押下量（単位押下量当りの駆動パワーの変化量）を調整することが可能であり、更には、非使用時、該足操作板１２全体を基台カバー１１上に位置するように押し込めば、該足操作板１２が基台カバー１１から張り出すようなことはなく、該足操作板１２に躓くようことはなく、安全である。
【００１５】
図２（Ｂ）は、図２（Ａ）に示した足操作板１２の一例を説明するための平面図、図２（Ｃ）は、図２（Ｂ）のＣ−Ｃ線断面拡大図で、該足操作板１２は長手方向中心に延長する長孔１２ｂを有し、この長孔１２ｂに軸１３が貫通され、足操作板１２は、この軸１３により、矢印Ａ方向に回転可能にかつ矢印Ｂ方向へ移動可能に取り付けられている。
【００１６】
足操作板１２の内部には、図２（Ｃ）に示すように、一対のデテント板１４１，１４２が、それぞればね１５１，１５２によって中心部に向けて押圧されているが、この中心部１２は、前述のように、軸１３が立設されているので、該足操作板１２は、デタント板１４１、１４２を介して軸１３に圧接固定される。デテント板１４１，１４２は、周知のように、対向する面が連続する円弧面に形成され、対向する円弧が対となって軸１３を挟むようになっている。従って、足操作板１２を矢印Ｂ方向に押し或いは引くことによって、デテント板１４１，１４２の間隔が、ばね１５１，１５２の押圧力に抗して開き、軸１３を通して足操作板１２が移動する。足操作板１２の矢印Ｂ方向への移動を止めると、デテント板１４１，１４２の円弧部がばね１５１，１５２の押圧力によって軸１３に圧接し、その位置に、足操作板１２が固定され、かつ、その位置で、軸１３のまわりに回転可能に支持される。
【００１７】
なお、以上には、カバー板部材を押下することによって気密容器内の気体圧を変化させる例について説明したが、本発明は、気体圧の変化に限定されるものではなく、押下量に応じて電気抵抗値が変化するもの等、カバー板部材の押下量に従って電気量、物理量（押圧力）等が変化するものでもよいことは容易に理解されよう。
【符号の説明】
【００１８】
１…歯科用治療椅子、７…インスツルメント、１０…歯科用治療椅子１の基台、１１…カバー板部材（インスツメント制御用押下板）、１２…インスツルメント制御用足操作板。
【図１】
2011156257.tif 000003
【図２】
2011156257.tif 000004
【図３】
2011156257.tif 000005
【図４】
2011156257.tif 000006
【図５】
2011156257.tif 000007